(57)【要約】【課題】任意の特色を出力する場合であっても、操作者が、その特色に対応するカラーコレクションの設定を行うことなく、その任意の特色に対応した画像の出力を行うことができる画像出力システムを提供する。【解決手段】制御装置３Ａは、カラーコレクション記憶手段Ｂに所定のカラーコレクションを記憶していると共に、予め、濃度テーブル記憶手段Ｃに基本色及び特色に関する濃度テーブルを記憶している。そして、比較判定手段Ａにより画像データ編集端末１Ａ〜１Ｃ及びＲＩＰ２から受信した画像データに、カラーコレクションに設定されていない特色が含まれていた場合には、濃度テーブル記憶手段Ｃに記憶された基本色及び特色に関する濃度テーブルを用いて、その特色に対応するカラーコレクションを作成して、そのカラーコレクションに基づいた画像データの出力処理を行う。【選択図】  図１
2004167707.tif 000002
【特許請求の範囲】
【請求項１】
画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色及び複数の任意の特色に関する色情報と、それらに対応する出力制御値とを関連付けたテーブルを記憶する記憶手段と、
前記受信した画像データを構成する特色に関する色情報と、前記テーブルを構成する任意の特色の色情報とを比較して、それらの一致／不一致を判定する比較判定手段と、
前記比較判定手段において、一致するものがあった場合に、前記テーブルの基本色及び該当する特色に関する出力制御値に基づいて、また、一致するものがなかった場合に、前記テーブルの基本色及び複数の任意の特色に関する出力制御値に基づいて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項２】
前記記憶手段は、さらに、画像データを構成する基本色及び任意の特色の組み合わせと、それらの組み合わせに対応する出力制御値とを関連付けた出力制御テーブルを記憶し、
前記比較判定手段は、前記受信した画像データを構成する基本色及び特色の組み合わせと、前記出力制御テーブルを構成する基本色及び任意の特色の組み合わせとを比較した上で、それらが不一致であった場合には、さらに、前記受信した画像データを構成する特色に関する色情報と、前記テーブルを構成する任意の特色の色情報とを比較して、
前記出力装置制御手段は、前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加することを特徴とする請求項１に記載の画像出力システム。
【請求項３】
画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色に関する色情報と、それらの基本色に対応する出力制御値とを関連付けた第１のテーブルを記憶する第１の記憶手段と、
画像データを構成する少なくとも１つの任意の特色に関する色情報と、その任意の特色に対応する出力制御値とを関連付けた第２のテーブルを記憶する第２の記憶手段と、
前記受信した画像データを構成する特色に関する色情報と、前記第２のテーブルを構成する任意の特色の色情報とを比較して、それらの一致／不一致を判定する比較判定手段と、
前記比較判定手段の判定において、一致するものがあった場合に、該当する前記任意の特色の前記第２のテーブルにおける出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項４】
画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色に関する色情報と、それらの基本色に対応する出力制御値とを関連付けた第１のテーブルを記憶する第１の記憶手段と、
画像データを構成する少なくとも１つの任意の特色に関する色情報と、その任意の特色に対応する出力制御値とを関連付けた第２のテーブルを記憶する第２の記憶手段と、
前記受信した画像データを構成する特色に関する色情報と、前記第２のテーブルを構成する任意の特色の色情報とを比較して、それらの一致／不一致を判定する比較判定手段と、
前記比較判定手段の判定において、一致するものがなかった場合に、前記第２のテーブルを構成する少なくとも２つの任意の特色に対応する出力制御値を用いて、前記受信した画像データを構成する特色に対応する出力制御値を算出して、さらに、前記算出した出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項５】
画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色及び任意の特色の組み合わせと、それらの組み合わせに対応する出力制御値とを関連付けた出力制御テーブルを少なくとも１つ記憶する出力制御テーブル記憶手段と、
画像データを構成する基本色に関する色情報と、それらの基本色に対応する出力制御値とを関連付けた第１のテーブルを記憶する第１の記憶手段と、
画像データを構成する少なくとも１つの任意の特色に関する色情報と、その任意の特色に対応する出力制御値とを関連付けた第２のテーブルを記憶する第２の記憶手段と、
前記受信した画像データを構成する基本色及び特色の組み合わせと、前記出力制御テーブルを構成する基本色及び任意の特色の組み合わせとを比較して、それらの一致／不一致を判定すると共に、それらが不一致であった場合には、さらに、前記受信した画像データを構成する特色に関する色情報と、前記第２のテーブルを構成する任意の特色の色情報とを比較して、それらの一致／不一致を判定する比較判定手段と、
前記比較判定手段の判定において、前記受信した画像データを構成する特色に関する色情報と、前記第２のテーブルを構成する任意の特色の色情報とに一致するものがあった場合に、該当する前記任意の特色の前記第２のテーブルにおける出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する特色に関する色情報と、前記第２のテーブルを構成する任意の特色の色情報とに一致するものがあった場合に、前記出力制御値算出手段により作成された出力制御テーブルを、前記出力制御情報として前記受信した画像データに付加して、前記画像出力装置へ送信する出力装置制御手段と、を備えたことを特徴とする画像出力システム。
【請求項６】
画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色及び任意の特色の組み合わせと、それらの組み合わせに対応する出力制御値とを関連付けた出力制御テーブルを少なくとも１つ記憶する出力制御テーブル記憶手段と、
画像データを構成する基本色に関する色情報と、それらの基本色に対応する出力制御値とを関連付けた第１のテーブルを記憶する第１の記憶手段と、
画像データを構成する少なくとも１つの任意の特色に関する色情報と、その任意の特色に対応する出力制御値とを関連付けた第２のテーブルを記憶する第２の記憶手段と、
前記受信した画像データを構成する基本色及び特色の組み合わせと、前記出力制御テーブルを構成する基本色及び任意の特色の組み合わせとを比較して、それらの一致／不一致を判定すると共に、それらが不一致であった場合には、さらに、前記受信した画像データを構成する特色に関する色情報と、前記第２のテーブルを構成する任意の特色の色情報とを比較して、それらの一致／不一致を判定する比較判定手段と、
前記比較判定手段の判定において、前記受信した画像データを構成する特色に関する色情報と、前記第２のテーブルを構成する任意の特色の色情報とに一致するものがなかった場合に、前記第２のテーブルを構成する少なくとも２つの任意の特色に対応する出力制御値を用いて、前記受信した画像データを構成する特色に対応する出力制御値を算出して、さらに、前記算出した出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する特色に関する色情報と、前記第２のテーブルを構成する任意の特色の色情報とに一致するものがなかった場合に、前記出力制御値算出手段により作成された出力制御テーブルを、前記出力制御情報として前記受信した画像データに付加して、前記画像出力装置へ送信する出力装置制御手段と、を備えたことを特徴とする画像出力システム。
【請求項７】
前記基本色並びに前記特色に関する色情報は、該当する色をシアン、マゼンタ、イエロー、ブラックの４色に色分解した場合の各色の構成比率に関する情報であることを特徴とする請求項３乃至請求項６の何れか一項に記載の画像出力システム。
【請求項８】
前記基本色並びに前記特色に関する色情報は、該当する色の色相・彩度・輝度に関する情報であることを特徴とする請求項３乃至請求項６の何れか一項に記載の画像出力システム。
【請求項９】
前記受信した画像データを構成する特色に関する色情報は、前記受信した画像データに付加されることを特徴とする請求項３乃至請求項８の何れか一項に記載の画像出力システム。
【請求項１０】
前記第２のテーブルを構成する前記任意の特色に関する色情報は、前記特色を再現するインクの透過率に関する情報を含み、
前記出力制御値算出手段は、前記透過率を加味して、前記受信した画像データを構成する基本色及び特色の組み合わせに対応する出力制御値を算出して、前記出力制御テーブルを作成することを特徴とする請求項３乃至請求項９の何れか一項に記載の画像出力システム。
【請求項１１】
前記受信した画像データを構成する特色に関する色情報、及び、前記第２のテーブルを構成する任意の特色の色情報は、それぞれ該当する特色の名称に関する情報を含み、
前記比較判定手段は、前記受信した画像データを構成する特色の名称と、前記第２のテーブルを構成する任意の特色の名称とを比較して、それらの一致／不一致を判定することを特徴とする請求項３乃至請求項１０の何れか一項に記載の画像出力システム。
【請求項１２】
前記制御装置並びに前記画像出力装置は、それぞれ別個の装置として設けられることを特徴とする請求項３乃至請求項１１の何れか一項に記載の画像出力システム。
【請求項１３】
前記制御装置は、前記画像出力装置に内蔵されることを特徴とする請求項３乃至請求項１１の何れか一項に記載の画像出力システム。
【発明の詳細な説明】
【０００１】
【発明の属する技術分野】
本発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムに関するものである。
【０００２】
【従来の技術】
近年、印刷産業においては、ＤＴＰ（Ｄｅｓｋ  Ｔｏｐ  Ｐｕｂｌｉｓｈｉｎｇ）と称され、スキャナから入力した画像をコンピュータのソフトウェア上で画像編集、ページ面付けするデジタル編集装置から、ＣＴＰ（Ｃｏｍｐｕｔｅｒ  ｔｏ  Ｐｌａｔｅ）と称され、デジタルで直接、印刷用の原版を作成する画像出力装置に画像データを送信して、これを出力する機会が増してきている。
【０００３】
しかしながら、このように、直接、印刷用の原版を作成する場合には、ＤＴＰにおいて画像データを作成する際にミスがあると、間違った印刷物を大量に作成してしまう印刷事故が発生する場合があった。
【０００４】
そこで、最近では、原版を作成する前にカラーの網点デジタルプルーフを作成することで、これを基に校正を行うことを可能としたカラープルーフ作成システムなるものが出現するに至っている。
【０００５】
しかしながら、このようなカラープルーフ作成システムにおいては、当該カラープルーフ作成システムを構成する出力装置が、カラーの網点デジタルプルーフをシアン（Ｃ）、マゼンタ（Ｍ）、イエロー（Ｙ）、ブラック（Ｂ）といった基本色のみを用いて出力するものであることが通常であり、画像データに特色が含まれていた場合であっても、これを基本色に色分解して出力することが多い。仮に、出力装置が特色を用いた出力を行うことが可能に構成されたものであっても、特色を出力するためには専用のインクが必要とされることから、このような場合であっても、数種の特定された特色しか出力することはできない。
【０００６】
ところで、前述のように特色を基本色に色分解して出力する場合には、カラーの網点デジタルプルーフの長所である網点品質の確認やモアレ等の確認が不可能となってしまい、また、ドットゲインの影響により所望の色と実際に出力される色とに大きな違いが生じる問題があった。
【０００７】
そこで、画像データに特色が含まれている場合であっても、これを基本色に色分解することなく、そのまま網点で出力することが可能なカラープルーフ作成システムの登場が要望されることとなっている。
【０００８】
ところで、このようなカラープルーフ作成システムの中には、当該カラープルーフ作成システムを構成する出力装置が、感光材料である銀塩カラーペーパーを各色の光源によって露光することで、カラーの網点デジタルプルーフを作成するものにより構成されるものがある。このようなカラープルーフ作成システムにおいては、出力装置のレッド（Ｒ）、グリーン（Ｇ）、ブルー（Ｂ）の各色光源による露光量を各々調節することで、任意の特色を出力することが可能となっている（例えば、特許文献１参照）。
【０００９】
【特許文献１】
特開平５−２９２３０５号公報
（段落〔０００８〕‐〔００２４〕、第１図及び第２図）
【００１０】
このような出力装置の各色光源による露光量の調整は、調節を行う特色に応じた各色光源による露光量に見当をつけて、それに対応する設定値と実際に出力されたカラープルーフの濃度とを比較して、その誤差が少なくなるように設定値を補正していくことで、所望の特色が得られる露光量を決定することが行われている。
【００１１】
また、このような露光量の調整を行う場合には、調整を行う特色のみならず、その特色とＣ、Ｍ、Ｙ、Ｋの基本色との重なりや、他の特色との重なりも考慮して、その各々に関して個別に露光量を設定する必要が生じる。例えば任意の２種類の特色に関して、その露光量の調整を行う場合には、その２種類の特色とＣ、Ｍ、Ｙ、Ｋの基本色との全ての組み合わせを考慮した合計６４種類の色の重なりについて、その露光量を設定する必要がある。
【００１２】
従って、このような場合には、その２種類の特色とＣ、Ｍ、Ｙ、Ｋの基本色とを組み合わせた合計６４種類の色の重なりを持つカラープルーフを作成して、その各々の部分に関して、所望する色の重なりが得られる露光量を決定する必要がある。
【００１３】
【発明が解決しようとする課題】
しかしながら、このように、特色とＣ、Ｍ、Ｙ、Ｋの基本色とを組み合わせた複数種類の色の重なりを持つカラープルーフを作成して、その各々の部分に関して、所望する色の重なりが得られる露光量を決定するための手間というのは、大変なものであり、さらに、無数に存在する特色の内、比較的使用される数千、数百のものに応じて、このような露光量の調整を行っておくことは、現実的には不可能あるため、実際には、特に使用頻度の高い特定の特色についてのみ、その特色に応じた色の重なりを持つカラープルーフを作成して、予め、その特色とＣ、Ｍ、Ｙ、Ｋの基本色とを組み合わせた複数種類の色の重なりに関して、所望する色の重なりが得られる露光量を決定しておくことが行われるに留まっている。
【００１４】
本発明は、上記課題を鑑みてなされたものであり、その目的とするところは、画像出力装置の出力制御を行う制御装置において、予め、画像データを構成する基本色及び特色に関する色情報と、その基本色及び特色を画像出力装置において露光して出力するための露光量に関する出力制御値とを関連付けたテーブルを記憶しておくことで、外部装置から送信された画像データに特色が含まれていた場合であっても、予め記憶しておいたテーブルを用いて、その特色に対応した出力制御テーブルを作成して、また、外部装置から送信された画像データに、そのテーブルに設定されていない特色が含まれていた場合であっても、予め記憶しておいたテーブルの複数のパラメータを用いて、その特色に対応したテーブルを作成して、さらに、これを用いて、その特色に対応した出力制御テーブルを作成して、その出力制御テーブルに基づいて画像データの出力処理を行い、操作者が、任意の特色を出力する場合であっても、その特色に対応する出力制御テーブルの設定を行うことなく、その任意の特色に対応した画像の出力を行うことができる画像出力システムを提供することにある。
【００１５】
【課題を解決するための手段】
上記課題を解決するために、請求項１に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色及び複数の任意の特色に関する色情報と、それらに対応する出力制御値とを関連付けたテーブルを記憶する記憶手段と、前記受信した画像データを構成する特色に関する色情報と、前記テーブルを構成する任意の特色の色情報とを比較して、それらの一致／不一致を判定する比較判定手段と、前記比較判定手段において、一致するものがあった場合に、前記テーブルの基本色及び該当する特色に関する出力制御値に基づいて、また、一致するものがなかった場合に、前記テーブルの基本色及び複数の任意の特色に関する出力制御値に基づいて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信する出力装置制御手段と、を備えたことを特徴とする。
【００１６】
上記課題を解決するために、請求項２に記載の発明は、請求項１に記載の画像出力システムであって、前記記憶手段は、さらに、画像データを構成する基本色及び任意の特色の組み合わせと、それらの組み合わせに対応する出力制御値とを関連付けた出力制御テーブルを記憶し、前記比較判定手段は、前記受信した画像データを構成する基本色及び特色の組み合わせと、前記出力制御テーブルを構成する基本色及び任意の特色の組み合わせとを比較した上で、それらが不一致であった場合には、さらに、前記受信した画像データを構成する特色に関する色情報と、前記テーブルを構成する任意の特色の色情報とを比較して、前記出力装置制御手段は、前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加することを特徴とする。
【００１７】
上記課題を解決するために、請求項３に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色に関する色情報と、それらの基本色に対応する出力制御値とを関連付けた第１のテーブルを記憶する第１の記憶手段と、画像データを構成する少なくとも１つの任意の特色に関する色情報と、その任意の特色に対応する出力制御値とを関連付けた第２のテーブルを記憶する第２の記憶手段と、前記受信した画像データを構成する特色に関する色情報と、前記第２のテーブルを構成する任意の特色の色情報とを比較して、それらの一致／不一致を判定する比較判定手段と、前記比較判定手段の判定において、一致するものがあった場合に、該当する前記任意の特色の前記第２のテーブルにおける出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信する出力装置制御手段と、を備えたことを特徴とする。
【００１８】
上記課題を解決するために、請求項４に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色に関する色情報と、それらの基本色に対応する出力制御値とを関連付けた第１のテーブルを記憶する第１の記憶手段と、画像データを構成する少なくとも２つの任意の特色に関する色情報と、その任意の特色に対応する出力制御値とを関連付けた第２のテーブルを記憶する第２の記憶手段と、前記受信した画像データを構成する特色に関する色情報と、前記第２のテーブルを構成する任意の特色の色情報とを比較して、それらの一致／不一致を判定する比較判定手段と、前記比較判定手段の判定において、一致するものがなかった場合に、前記第２のテーブルを構成する少なくとも２つの任意の特色に対応する出力制御値を用いて、前記受信した画像データを構成する特色に対応する出力制御値を算出して、さらに、前記算出した出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信する出力装置制御手段と、を備えたことを特徴とする。
【００１９】
上記課題を解決するために、請求項５に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色及び任意の特色の組み合わせと、それらの組み合わせに対応する出力制御値とを関連付けた出力制御テーブルを少なくとも１つ記憶する出力制御テーブル記憶手段と、画像データを構成する基本色に関する色情報と、それらの基本色に対応する出力制御値とを関連付けた第１のテーブルを記憶する第１の記憶手段と、画像データを構成する少なくとも１つの任意の特色に関する色情報と、その任意の特色に対応する出力制御値とを関連付けた第２のテーブルを記憶する第２の記憶手段と、前記受信した画像データを構成する基本色及び特色の組み合わせと、前記出力制御テーブルを構成する基本色及び任意の特色の組み合わせとを比較して、それらの一致／不一致を判定すると共に、それらが不一致であった場合には、さらに、前記受信した画像データを構成する特色に関する色情報と、前記第２のテーブルを構成する任意の特色の色情報とを比較して、それらの一致／不一致を判定する比較判定手段と、前記比較判定手段の判定において、前記受信した画像データを構成する特色に関する色情報と、前記第２のテーブルを構成する任意の特色の色情報とに一致するものがあった場合に、該当する前記任意の特色の前記第２のテーブルにおける出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する特色に関する色情報と、前記第２のテーブルを構成する任意の特色の色情報とに一致するものがあった場合に、前記出力制御値算出手段により作成された出力制御テーブルを、前記出力制御情報として前記受信した画像データに付加して、前記画像出力装置へ送信する出力装置制御手段と、を備えたことを特徴とする。
【００２０】
上記課題を解決するために、請求項６に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色及び任意の特色の組み合わせと、それらの組み合わせに対応する出力制御値とを関連付けた出力制御テーブルを少なくとも１つ記憶する出力制御テーブル記憶手段と、画像データを構成する基本色に関する色情報と、それらの基本色に対応する出力制御値とを関連付けた第１のテーブルを記憶する第１の記憶手段と、画像データを構成する少なくとも１つの任意の特色に関する色情報と、その任意の特色に対応する出力制御値とを関連付けた第２のテーブルを記憶する第２の記憶手段と、前記受信した画像データを構成する基本色及び特色の組み合わせと、前記出力制御テーブルを構成する基本色及び任意の特色の組み合わせとを比較して、それらの一致／不一致を判定すると共に、それらが不一致であった場合には、さらに、前記受信した画像データを構成する特色に関する色情報と、前記第２のテーブルを構成する任意の特色の色情報とを比較して、それらの一致／不一致を判定する比較判定手段と、前記比較判定手段の判定において、前記受信した画像データを構成する特色に関する色情報と、前記第２のテーブルを構成する任意の特色の色情報とに一致するものがなかった場合に、前記第２のテーブルを構成する少なくとも２つの任意の特色に対応する出力制御値を用いて、前記受信した画像データを構成する特色に対応する出力制御値を算出して、さらに、前記算出した出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する特色に関する色情報と、前記第２のテーブルを構成する任意の特色の色情報とに一致するものがなかった場合に、前記出力制御値算出手段により作成された出力制御テーブルを、前記出力制御情報として前記受信した画像データに付加して、前記画像出力装置へ送信する出力装置制御手段と、を備えたことを特徴とする。
【００２１】
また、請求項７に記載の発明は、請求項３乃至請求項６の何れか一項に記載の画像出力システムであって、前記基本色並びに前記特色に関する色情報は、該当する色をシアン、マゼンタ、イエロー、ブラックの４色に色分解した場合の各色の構成比率に関する情報であることを特徴とする。
【００２２】
また、請求項８に記載の発明は、請求項３乃至請求項６の何れか一項に記載の画像出力システムであって、前記基本色並びに前記特色に関する色情報は、該当する色の色相・彩度・輝度に関する情報であることを特徴とする。
【００２３】
また、請求項９に記載の発明は、請求項３乃至請求項８の何れか一項に記載の画像出力システムであって、前記受信した画像データを構成する特色に関する色情報は、前記受信した画像データに付加されることを特徴とする。
【００２４】
また、請求項１０に記載の発明は、請求項３乃至請求項８の何れか一項に記載の画像出力システムであって、前記第２のテーブルを構成する前記任意の特色に関する色情報は、前記特色を再現するインクの透過率に関する情報を含み、前記出力制御値算出手段は、前記透過率を加味して、前記受信した画像データを構成する基本色及び特色の組み合わせに対応する出力制御値を算出して、前記出力制御テーブルを作成することを特徴とする。
【００２５】
また、請求項１１に記載の発明は、請求項３乃至請求項１０の何れか一項に記載の画像出力システムであって、前記受信した画像データを構成する特色に関する色情報、及び、前記第２のテーブルを構成する任意の特色の色情報は、それぞれ該当する特色の名称に関する情報を含み、前記比較判定手段は、前記受信した画像データを構成する特色の名称と、前記第２のテーブルを構成する任意の特色の名称とを比較して、それらの一致／不一致を判定することを特徴とする。
【００２６】
また、請求項１２に記載の発明は、請求項３乃至請求項１１の何れか一項に記載の画像出力システムであって、前記制御装置並びに前記画像出力装置は、それぞれ別個の装置として設けられることを特徴とする。
【００２７】
また、請求項１３に記載の発明は、請求項３乃至請求項１１の何れか一項に記載の画像出力システムであって、前記制御装置は、前記画像出力装置に内蔵されることを特徴とする。
【００２８】
【発明の実施の形態】
以下、本発明に係る画像出力システムの様々な実施形態について、図面を参照しながら詳細に説明する。尚、本発明である請求項１及び請求項２に係る画像出力システムは、請求項３乃至請求項６に係る画像出力システムを包含するものであり、また、請求項３、請求項４に係る画像出力システムは、それぞれ請求項５、請求項６に係る画像出力システムを包含するものであるため、以下においては、請求項５及び請求項６に係る画像出力システムに対応する実施形態を例に挙げて、本発明に係る画像出力システムについて説明することとする。
【００２９】
［第一の実施形態］
まず、本実施形態における画像出力システムの概略構成及び概略動作について説明する。尚、当該画像出力システムは、画像出力装置として、所謂、デジタルカラープルーフ作成装置（以下、ＤＣＰ作成装置と称する）を含み構成されるものである。
【００３０】
（画像出力システムの概略構成）
図１に示すように、当該画像出力システムは、上流端末である画像データ編集端末１Ａ〜１Ｃ及びＲＩＰ（Ｒａｓｔｅｒ・Ｉｍａｇｅ・Ｐｒｏｃｅｓｓｏｒ）２から送信された画像データを受信して、その画像データを直接、若しくは、所定の出力条件にて解析加工し、これを出力指示信号と共にＤＣＰ作成装置４Ａに送信する制御装置３Ａと、この制御装置３Ａから送信された画像データに基づいて、所定の出力条件にて所定の画像を出力するＤＣＰ作成装置４Ａとを含み構成されている。尚、画像データ編集端末１Ａ〜１Ｃ及びＲＩＰ２と制御装置３Ａとは、ネットワークＮを介して互いに接続されている。また、画像データ編集端末１Ａ〜１ＣやＲＩＰ２は、任意の数が設けられて良い。
【００３１】
画像データ編集端末１Ａ〜１Ｃ及び制御装置３Ａは、何れもコンピュータターミナル（端末装置）として動作するものであって、画像データ編集端末１Ａ〜１Ｃは、コンピュータ本体、キーボード、モニタ、イメージスキャナ等の必要な画像入力機器等を備えている。また、制御装置３Ａは、コンピュータ本体、キーボード、モニタ等を備え、ＤＣＰ作成装置４Ａの出力制御を行うための所定の動作プログラムが組み込まれている。
【００３２】
（画像出力システムの概略動作）
このような構成において、画像データ編集端末１Ａ〜１Ｃ、又はＲＩＰ２から画像データが送信された場合には、制御装置３Ａは、これを受信して、その画像データの種別に応じて、その画像データを解析加工するか否かを決定する。ここで解析加工すると決定された場合には、所定の設定条件にて解析加工が行われる。また、制御装置３Ａは、その画像データに特色が含まれるか否かを判断して、特色が含まれていた場合には、さらに、当該制御装置３Ａにおいて、それらの特色に対応するカラーコレクションの設定が成されているか否かを判断して、ここでカラーコレクションの設定が成されていた場合には、画像データに、そのカラーコレクションに関する情報を付加した上で、出力指示信号と共にＤＣＰ作成装置４Ａに送信する。一方、それらの特色に対応するカラーコレクションの設定が成されていなかった場合には、まず、当該制御装置３Ａにおいて、その特色に対応する濃度テーブルの設定が成されているか否かを判断して、ここで濃度テーブルの設定が成されていた場合には、その濃度テーブルと、当該制御装置３Ａにおいて予め設定された基本色に対応する濃度テーブルとに基づいてカラーコレクションを作成して、画像データに、そのカラーコレクションに関する情報を付加した上で、出力指示信号と共にＤＣＰ作成装置４Ａに送信する。また、濃度テーブルの設定が成されていなかった場合には、設定されている濃度テーブルの複数を組み合わせることで、その特色に対応する濃度テーブルを作成して、さらに、その濃度テーブルと、当該制御装置３Ａにおいて予め設定された基本色に対応する濃度テーブルとに基づいてカラーコレクションを作成して、画像データに、そのカラーコレクションに関する情報を付加した上で、出力指示信号と共にＤＣＰ作成装置４Ａに送信する。尚、このことの詳細については、後述する。
【００３３】
ところで、此処に言う画像データの種別には、主に、ＰＳ、ＰＤＦ、ＥＰＳ等のページ記述言語と、ＴＩＦＦ、ＴＩＦＦ／ＩＴ、ＪＰＥＧ等の多値画像汎用フォーマットと、ＴＩＦＦ、ＢＩＴＭＡＰ等の２値画像汎用フォーマットがあり、制御装置３Ａは、これらの種別に応じて、送信された画像データを解析加工するか否かを決定する。また、此処に言う所定の設定条件とは、具体的には、出力解像度・網点形式・色分解の実施有無などのことである。また、此処にいうカラーコレクションとは、Ｃ、Ｍ、Ｙ、Ｋの基本色と所定数の特色との全ての組み合わせと、ＤＣＰ作成装置４ＡにおけるＲ、Ｇ、Ｂの各色の露光量とを関連付けたテーブルのことであって、本発明の「出力制御テーブル」に対応する。また、此処に言う濃度テーブルとは、基本色若しくは特色を構成するＣ、Ｍ、Ｙ、Ｋの基本色の構成比率と、ＤＣＰ作成装置４ＡにおけるＲ、Ｇ、Ｂの各色の露光量とを関連付けた「テーブル」のことである。
【００３４】
制御装置３Ａからカラーコレクションに関する情報が付加された解析加工後の画像データと出力指示信号を受けたＤＣＰ作成装置４Ａは、そのカラーコレクションに従って、当該ＤＣＰ作成装置４ＡのＲ、Ｇ、Ｂの各色光源に関する露光量の出力制御を行いつつ、基本色及び所定の特色を用いて、その画像データの出力を行う。
【００３５】
次に、当該画像出力システムの詳細構成及び詳細動作について、その構成要素である制御装置３Ａを主として説明する。
【００３６】
（制御装置の詳細構成）
図１に示すように、制御装置３Ａは、カラーコレクション（本発明の出力制御テーブル）を記憶するカラーコレクション記憶手段Ｂ（本発明の出力制御テーブル記憶手段）と、基本色及び所定の特色に対応した濃度テーブル（本発明の第１のテーブル及び第２のテーブル）を記憶する濃度テーブル記憶手段Ｃ（本発明の第１の記憶手段及び第２の記憶手段）と、画像データ編集端末１Ａ〜１Ｃ、又はＲＩＰ２から送信された画像データに特色が含まれるか否か、また、ここで特色が含まれていた場合には、その特色に対応したカラーコレクションがカラーコレクション記憶手段Ｂに記憶されているか否か、ここでその特色に対応したカラーコレクションがカラーコレクション記憶手段Ｂに記憶されていなかった場合には、さらに、その特色に対応した濃度テーブルが濃度テーブル記憶手段Ｃに記憶されているか否かを判断する比較判定手段Ａと、この比較判定手段Ａの判定結果において、その画像データに含まれる特色に対応したカラーコレクションがカラーコレクション記憶手段Ｂに記憶されていないと判断された場合に、また、その画像データに含まれる特色に対応した濃度テーブルが濃度テーブル記憶手段Ｃに記憶されていないと判断された場合に、濃度テーブル記憶手段Ｃに記憶された特色に関する濃度テーブル及び基本色に関する濃度テーブルを用いて、或いは、濃度テーブル記憶手段Ｃに記憶された特色に関する濃度テーブルの複数のパラメータを組み合わせることによって、その特色に対応する出力制御値を算出し、その特色に対応する濃度テーブルを作成して、その濃度テーブルと濃度テーブル記憶手段Ｃに記憶された基本色に関する濃度テーブルとを用いて、その画像データに含まれる特色に対応したカラーコレクションを作成する出力制御値算出手段Ｄと、画像データ編集端末１Ａ〜１Ｃ及びＲＩＰ２から送信された画像データの種別を判断して、必要に応じて、その画像データの網点化処理を行う網点化処理手段Ｅと、カラーコレクション記憶手段Ｂに記憶されたカラーコレクション、または、出力制御値算出手段Ｄによって新たに作成されたカラーコレクションに関するデータを網点化された画像データに付加して、これを出力指示信号と共にＤＣＰ作成装置４Ａに送信する出力装置制御手段Ｆと、この他、カラーコレクション記憶手段Ｂに任意のカラーコレクションを登録するカラーコレクション登録手段Ｇとを含み構成されている。
【００３７】
（画像出力システムの詳細動作）
このような構成において、操作者は、画像データの出力処理を行う事前準備として、必要に応じて（任意に）、制御装置３Ａのカラーコレクション登録手段Ｇによって、カラーコレクション記憶手段Ｂに記憶するカラーコレクションに関する情報の登録を行う。これは、カラーコレクション設定と称されるものであって、具体的には、図２に示すような内容が設定される。即ち、入力項目としては、入力値と出力制御値とがあり、例えば入力値には、シアン、マゼンタ、イエロー、ブラックの基本色と特色１、特色２との全ての組み合わせがあり、また、出力制御値には、これらに対応するＤＣＰ作成装置４ＡにおけるＲ、Ｇ、Ｂの各色光源による露光量の設定値があり、これらを関連付けて登録する。尚、設定を行うことが可能な特色の数に関しては、２個に限られず任意の数であって良い。
【００３８】
尚、当該カラーコレクション設定に関する情報は、制御装置３ＡからＤＣＰ作成装置４Ａに画像データが送信される際に、合わせて送信され、その設定内容はＤＣＰ作成装置４Ａに記憶されているカラーコレクションに反映される。
【００３９】
ところで、カラーコレクションは、通常、複数種類設定されるため、操作者は、カラーコレクション登録手段Ｇにおいて、このようなカラーコレクションを複数登録することとなる。例えば、４種類のカラーコレクションを登録する場合には、図３に示すように、カラーコレクションの設定番号［（１）、（２）、（３）、（４）］に対応して、ＣＣチャンネル１〜ＣＣチャンネル４までの４種類のカラーコレクションにおいて設定されている特色の数及びその名称［（２、ＰＩＮＫ、ＬＩＧＨＴ  ＧＲＥＥＮ）、（０）、（１、ＯＲＡＮＧＥ）、（０）］等を設定することとなる。
【００４０】
これらカラーコレクションに関する登録内容は、カラーコレクション記憶手段Ｂに記憶され、画像データ編集端末１Ａ〜１Ｃ及びＲＩＰ２から送信された画像データの種別に応じて、出力装置制御手段Ｆによって、適宜選択され、画像データに付加された上で、制御装置３ＡからＤＣＰ作成装置４Ａへと送信されて、その設定内容は、ＤＣＰ作成装置４Ａにおけるカラーコレクションの設定に反映されることになる。
【００４１】
（画像出力システムの詳細動作）
以下、図４に示すフローチャートに基づいて、当該画像出力システムの画像出力処理について説明を続ける。
【００４２】
画像データ編集端末１Ａ〜１Ｃ及びＲＩＰ２から画像データが送信されると、制御装置３Ａは、これを受信して、比較判定手段Ａは、まず、その画像データに特色が含まれるか否かを判断する（Ｓ０１）。ここで、特色が含まれていた場合には（Ｓ０１、Ｙｅｓ）、さらに、その特色に対応したカラーコレクションがカラーコレクション記憶手段Ｂに記憶されているか否かを判断して（Ｓ０２）、ここで、その特色に対応したカラーコレクションがカラーコレクション記憶手段Ｂに記憶されていなかった場合には（Ｓ０２、Ｎｏ）、さらに、その特色に対応した濃度テーブルが濃度テーブル記憶手段Ｃに記憶されているか否かを判断する（Ｓ０３）。
【００４３】
ところで、Ｓ０１において、特色が含まれていなかった場合には（Ｓ０１、Ｎｏ）、比較判定手段Ａは、次に、その画像データが網点化処理を必要とするか否かを判断する（Ｓ０９）。ここで、その画像データが網点化処理を必要とした場合には（Ｓ０９、Ｙｅｓ）、網点化処理手段Ｅは、その画像データの網点化処理を行う（Ｓ１０）。また、その画像データが網点化処理を必要としなかった場合には（Ｓ０９、Ｎｏ）、網点化処理手段Ｅは、その画像データの網点化処理を行わない。さらに、出力装置制御手段Ｆは、その画像データに対応するカラーコレクション（基本色のみによって構成されるカラーコレクション）をカラーコレクション記憶手段Ｂから読み出して、その画像データに付加した上で（Ｓ１１）、これらを出力指示信号と共にＤＣＰ作成装置４Ａに送信する（Ｓ１２）。
【００４４】
また、Ｓ０２において、その特色に対応したカラーコレクションがカラーコレクション記憶手段Ｂに記憶されていた場合には（Ｓ０２、Ｙｅｓ）、Ｓ０９へ移行する。
【００４５】
Ｓ０３の説明に戻って、ここで、その特色に対応した濃度テーブルが濃度テーブル記憶手段Ｃに記憶されていた場合には（Ｓ０３、Ｙｅｓ）、出力制御値算出手段Ｄは、その濃度テーブルと濃度テーブル記憶手段Ｃに記憶されている基本色に関する濃度テーブルを用いて、その特色に対応するカラーコレクションを作成する（Ｓ０５）。
【００４６】
ここで、このＳ０５において、出力制御値算出手段Ｄが、濃度テーブル記憶手段Ｃに記憶されていた特色に関する濃度テーブルを用いて、その特色に対応する出力制御値を算出して、さらに、その出力制御値と濃度テーブル記憶手段Ｃに記憶されている基本色に関する濃度テーブルを用いて、その特色に対応するカラーコレクションを作成する工程について説明する。
【００４７】
例えば、画像データ編集端末１Ａ〜１Ｃ及びＲＩＰ２から送信された画像データに含まれる特色、例えば特色３が、カラーコレクション記憶手段Ｂに登録されたカラーコレクション、例えば、図２に示すカラーコレクションの特色１及び特色２の何れにも対応しないものであって、濃度テーブル記憶手段Ｃに記憶された特色に関する濃度テーブル、例えば、図５に示す特色に関する濃度テーブルの“９”に対応するものであったとする。尚、このような判断は、比較判定手段Ａが、画像データ編集端末１Ａ〜１Ｃ及びＲＩＰ２から送信された画像データに付加された特色に関する色情報（各特色に対応する濃度テーブル）と濃度テーブル記憶手段Ｃに記憶された特色に関する濃度テーブルとを比較することで行われる。また、特色に関する色情報は、この他にも、例えば処理指示書等で指示されたカラーチップを濃度計で読み取る（濃度を測定する）ことで取得されても良い。このような場合、出力制御値算出手段Ｄは、この“９”の濃度テーブルと、図６に示すような基本色に関する濃度テーブルとを用いて図７に示すようなカラーコレクションを作成する。但し、画像データ編集端末１Ａ〜１Ｃ及びＲＩＰ２から送信される画像データに付加された特色に関する色情報に、透過率に関する情報が付加されていた場合には、出力制御値算出手段Ｄは、その透過率を加味した上でカラーコレクションを作成する。尚、此処に言う透過率とは、その特色と他の基本色及び特色とを重ね合わせた場合に、その特色が透けて見える割合（パーセント）を表す数値のことであって、出力制御値算出手段Ｄは、具体的には、重ねあわせる対象となる色、即ち、基本色の濃度テーブルの出力制御値に、この透過率を乗じた上で、当該特色の濃度テーブルの出力制御値と加算して、その特色と基本色との重ね合わせについて、各々に対応する出力制御値を算出して、カラーコレクションを作成する。
【００４８】
再びＳ０３の説明に戻って、また、その特色に対応した濃度テーブルが濃度テーブル記憶手段Ｃに記憶されていなかった場合には（Ｓ０３、Ｎｏ）、出力制御値算出手段Ｄは、濃度テーブル記憶手段Ｃに記憶されている特色に関する濃度テーブルの複数のパラメータを用いて、まず、その特色に対応する出力制御値を算出し、その特色に対応する濃度テーブルを作成して（Ｓ０４）、次に、その濃度テーブルと濃度テーブル記憶手段Ｃに記憶されている基本色に関する濃度テーブルを用いて、その特色に対応するカラーコレクションを作成する。尚、出力制御値算出手段Ｄが作成したカラーコレクションは、カラーコレクション記憶手段Ｂに記憶される（Ｓ０５）。
【００４９】
ここで、このＳ０４〜Ｓ０５において、出力制御値算出手段Ｄが、濃度テーブル記憶手段Ｃに記憶されている特色に関する濃度テーブルの複数のパラメータを用いて、その特色に対応する濃度テーブルを作成して、さらに、その濃度テーブルと濃度テーブル記憶手段Ｃに記憶されている基本色に関する濃度テーブルを用いてカラーコレクションを作成する工程について説明する。
【００５０】
例えば、画像データ編集端末１Ａ〜１Ｃ及びＲＩＰ２から送信された画像データに含まれる特色、例えば特色４が、カラーコレクション記憶手段Ｂに登録されたカラーコレクション、例えば、図２に示すカラーコレクションの特色１及び特色２の何れにも対応しないものであって、さらに、濃度テーブル記憶手段Ｃに記憶された特色に関する濃度テーブル、例えば、図５に示す濃度テーブルの何れにも対応しないものであったとする。尚、このような判断は、比較判定手段Ａが、画像データ編集端末１Ａ〜１Ｃ及びＲＩＰ２から送信された画像データに付加された特色に関する色情報（各特色に対応する濃度テーブル）と濃度テーブル記憶手段Ｃに記憶された特色に関する濃度テーブルとを比較することで行われる。このような場合、出力制御値算出手段Ｄは、まず、図５に示す濃度テーブルの複数のパラメータを用いて、その特色に対応する出力制御値を算出し、図８に示すような濃度テーブルを作成する。因みに、本例においては、画像データ編集端末１Ａ〜１Ｃ及びＲＩＰ２から送信された画像データに付加された特色に関する色情報（各特色に対応する濃度テーブル）が、Ｃ１５％、Ｍ０％、Ｙ５％、Ｋ０％であったものとする。出力制御値算出手段Ｄは、具体的には、図５に示す“２”、“４”、“８”、“１０”の濃度テーブルを用いて、これらの加重平均をとることで、Ｃ１５％、Ｍ０％、Ｙ５％、Ｋ０％に対応する出力制御値を算出し、図８に示す“２０”の濃度テーブルを作成する。さらに、この“２０”の濃度テーブルと濃度テーブル記憶手段Ｃに記憶されている基本色に関する濃度テーブルを用いて、図９に示すようなカラーコレクションを作成する。但し、画像データ編集端末１Ａ〜１Ｃ及びＲＩＰ２から送信される画像データに付加された特色に関する色情報に、透過率に関する情報が付加されていた場合には、出力制御値算出手段Ｄは、その透過率を加味した上でカラーコレクションを作成する。尚、此処に言う透過率とは、その特色と他の基本色及び特色とを重ね合わせた場合に、その特色が透けて見える割合（パーセント）を表す数値のことであって、出力制御値算出手段Ｄは、具体的には、重ねあわせる対象となる色に関する濃度テーブルの出力制御値に、この透過率を乗じた上で、当該特色の出力制御値と加算し、その特色と基本色との重ね合わせについて、各々に対応する出力制御値を算出して、カラーコレクションを作成する。
【００５１】
ここで、出力制御値算出手段Ｄが、図５に示す特色に関する濃度テーブルの複数のパラメータを用いて、出力制御値を算出する場合の他例について説明する。
【００５２】
（例１）例えば、画像データ編集端末１Ａ〜１Ｃ及びＲＩＰ２から送信された画像データに含まれる特色のＣ、Ｍ、Ｙ、Ｋの構成比率が、Ｃ１０％、Ｍ５％、Ｙ０％、Ｋ０％であった場合には、出力制御値算出手段Ｄは、図５に示す“２”の濃度テーブルと“３”の濃度テーブルを組み合わせることで、具体的には、これらを直線補間して、その中間値を算出することで、入力値がＣ１０％、Ｍ５％、Ｙ０％、Ｋ０％という構成比率である特色の出力制御値（ＤＣＰ作成装置４ＡにおけるＲ、Ｇ、Ｂの露光量の設定値）を算出する。その結果、この場合の出力制御値は、Ｒ＝０．１４５≒０．１５、Ｇ＝０．０７、Ｂ＝０．００５≒０．０１となる。
【００５３】
（例２）例えば、画像データ編集端末１Ａ〜１Ｃ及びＲＩＰ２から送信された画像データに含まれる特色のＣ、Ｍ、Ｙ、Ｋの構成比率が、Ｃ１５％、Ｍ０％、Ｙ５％、Ｋ０％であった場合には、出力制御値算出手段Ｄは、図５に示す“２”、“４”、“８”、“１０”の濃度テーブルを組み合わせることで、具体的には、これらを加重平均して、その中間値を算出することで、入力値がＣ１５％、Ｍ０％、Ｙ５％、Ｋ０％という構成比率である特色の出力制御値（ＤＣＰ作成装置４ＡにおけるＲ、Ｇ、Ｂの露光量の設定値）を算出する。その結果、この場合の出力制御値は、Ｒ＝０．２１５≒０．２２、Ｇ＝０．００、Ｂ＝０．０５５≒０．０６となる。
【００５４】
（例３）例えば、画像データ編集端末１Ａ〜１Ｃ及びＲＩＰ２から送信された画像データに含まれる特色のＣ、Ｍ、Ｙ、Ｋの構成比率が、Ｃ７％、Ｍ０％、Ｙ０％、Ｋ０％であった場合には、出力制御値算出手段Ｄは、図５に示す“１”の濃度テーブルと“２”の濃度テーブルを組み合わせることで、具体的には、これらを直線補間することで、入力値がＣ７％、Ｍ０％、Ｙ０％、Ｋ０％という構成比率である特色の出力制御値（ＤＣＰ作成装置４ＡにおけるＲ、Ｇ、Ｂの露光量の設定値）を算出する。その結果、この場合の出力制御値は、Ｒ＝０．０９８≒０．１０、Ｇ＝０．００、Ｂ＝０．００となる。
【００５５】
尚、以上に説明した出力制御値を算出する手法は、あくまでも、その一例を例示したものに過ぎず、複数の濃度テーブルを組み合わせることで出力制御値を算出するというものであれば、この他の手法を用いることも当然に可能である。
【００５６】
再びＳ０５からの説明に戻って、さらに、比較判定手段Ａは、その画像データが網点化処理を必要とするか否かを判断する（Ｓ０６）。ここで、その画像データが網点化処理を必要とした場合には（Ｓ０６、Ｙｅｓ）、網点化処理手段Ｅは、その画像データの網点化処理を行う（Ｓ０７）。また、その画像データが網点化処理を必要としなかった場合には（Ｓ０６、Ｎｏ）、網点化処理手段Ｅは、その画像データの網点化処理を行わない。さらに、出力装置制御手段Ｆは、その画像データに対応するカラーコレクション（出力制御値算出手段Ｄが作成したカラーコレクション）をカラーコレクション記憶手段Ｂから読み出して、その画像データに付加した上で（Ｓ１１）、これらを出力指示信号と共にＤＣＰ作成装置４Ａに送信する（Ｓ１２）。
【００５７】
制御装置３Ａから、カラーコレクションに関する情報が付加された画像データ及び出力指示信号の送信を受けたＤＣＰ作成装置４Ａは、その画像データを送信されたカラーコレクションに従って出力する。即ち、その画像データを送信されたカラーコレクションに従って、当該ＤＣＰ作成装置４ＡのＲ、Ｇ、Ｂの各色光源による露光量を制御して、基本色及び特色を用いて出力する。
【００５８】
以上に説明したように、本実施形態における画像出力システムでは、制御装置３Ａにおいて、予め、ＤＣＰ作成装置４Ａのカラーコレクション設定に関する情報が登録され、さらに、基本色及び所定の特色に対応した濃度テーブルが記憶されるので、画像データ編集端末１Ａ〜１Ｃ及びＲＩＰ２から送信された画像データが特色を含み、その特色が制御装置３Ａにおいて登録されたカラーコレクションに該当しないものであった場合にも、自動的に、その特色に対応したカラーコレクションが作成され、また、その特色が制御装置３Ａにおいて登録されたカラーコレクション及び濃度テーブルに該当しないものであった場合にも、自動的に、その特色に対応した濃度テーブルが作成され、さらに、その濃度テーブルを用いて、その特色に対応したカラーコレクションが作成されて、ＤＣＰ作成装置４Ａにおいて、そのカラーコレクションに従って、その特色に対応した画像データの出力処理が行われるので、操作者は、任意の特色を出力する場合であっても、その特色に対応するカラーコレクションの設定を行うことなく、任意の特色に対応した画像の出力を行うことができる。
【００５９】
尚、本実施形態における画像出力システムにおいては、画像データ編集端末１Ａ〜１Ｃ及びＲＩＰ２から送信された画像データに含まれる特色の色情報が、Ｃ、Ｍ、Ｙ、Ｋの基本色による構成比率にて表現され、制御装置に記憶されるカラーコレクションや濃度テーブルの入力値は、これに対応するものとなっていたが、特色の色情報は、これに限定されるものではなく、例えば、色相・彩度・輝度の３軸から成る色空間座標系の座標値であるＬ＊ａ＊ｂ＊値によって構成されても良い。即ち、このような場合には、制御装置３Ａにおいては、予め、図１０に示すような濃度テーブルが記憶されることとなる。
【００６０】
また、本実施形態における画像出力システムにおいては、画像データ編集端末１Ａ〜１Ｃ及びＲＩＰ２から送信された画像データに特色が含まれる場合には、その特色の色情報が付加され、これに対応して、制御装置３Ａに記憶される濃度テーブルの入力値は、所定の特色の色情報に関する値となっていたが、例えば、画像データ編集端末１Ａ〜１Ｃ及びＲＩＰ２から送信された画像データに特色が含まれる場合であって、その特色の色情報が、その特色の名称に関する情報を含むような場合には、これに対応して、制御装置３Ａには、図１１に示すような、所定の特色の名称と、その特色の色情報とを関連付けた色情報テーブルが、さらに、予め記憶されるものとする。尚、この色情報テーブルは、新たな記憶手段に記憶されることとしても良いし、また、濃度テーブル記憶手段Ｃ等に記憶されることとしても良い。
【００６１】
因みに、このような場合には、比較判定手段Ａは、図４に示すフローチャートのＳ０２とＳ０３の間において、その特色の名称に対応した色情報テーブルが、制御装置３Ａの記憶手段に記憶されているか否かを判断する。ここで、その特色の名称に対応した色情報テーブルが、制御装置３Ａの記憶手段に記憶されていた場合には、当然、その特色に対応した濃度テーブルは濃度テーブル記憶手段Ｃに記憶されているので（Ｓ０３、Ｙｅｓ）、出力制御値算出手段Ｄは、その濃度テーブルと濃度テーブル記憶手段Ｃに記憶されている基本色に関する濃度テーブルを用いて、その特色に対応するカラーコレクションを作成する（Ｓ０５）。以下、Ｓ０６へと移行する。また、ここで、その特色の名称に対応した色情報テーブルが、制御装置３Ａの記憶手段に記憶されていなかった場合には、当然、その特色に対応した濃度テーブルは濃度テーブル記憶手段Ｃに記憶されていないので（Ｓ０３、Ｎｏ）、出力制御値算出手段Ｄは、濃度テーブル記憶手段Ｃに記憶されている特色に関する濃度テーブルの複数のパラメータを用いて、まず、その特色に対応する濃度テーブルを作成して（Ｓ０４）、次に、その濃度テーブルと濃度テーブル記憶手段Ｃに記憶されている基本色に関する濃度テーブルを用いて、その特色に対応するカラーコレクションを作成する（Ｓ０５）。以下、Ｓ０６へと移行する。
【００６２】
また、本実施形態における画像出力システムにおいては、制御装置３Ａに、カラーコレクションを記憶するカラーコレクション記憶手段Ｂと、基本色及び所定の特色に対応した濃度テーブルを記憶する濃度テーブル記憶手段Ｃがそれぞれ設けられることとしたが、これらは１つの記憶手段として構成しても良い。また、濃度テーブル記憶手段Ｃに記憶される基本色に対応した濃度テーブルと、所定の特色に対応した濃度テーブルは、１つの濃度テーブルとして構成しても良い。さらに、上述の色情報テーブルも組み合わせて、これらを１つの濃度テーブルとして構成しても良い。
【００６３】
［第二の実施形態］
まず、本実施形態における画像出力システムの概略構成及び概略動作について説明する。尚、当該画像出力システムは、第一の実施形態における制御装置が画像出力装置に内蔵された構成を採るものであって、当該画像出力装置は、所謂、デジタルカラープルーフ作成装置（以下、ＤＣＰ作成装置と称する）から構成されるものである。
【００６４】
（画像出力システムの概略構成）
図１２に示すように、当該画像出力システムは、上流端末である画像データ編集端末１Ａ〜１Ｃ及びＲＩＰ（Ｒａｓｔｅｒ・Ｉｍａｇｅ・Ｐｒｏｃｅｓｓｏｒ）２から送信された画像データを受信して、その画像データを直接、若しくは、所定の出力条件にて解析加工し、これを所定の出力条件にて出力するＤＣＰ作成装置５Ａを含み構成されている。尚、画像データ編集端末１Ａ〜１Ｃ及びＲＩＰ２と当該ＤＣＰ作成装置５Ａとは、ネットワークＮを介して互いに接続されている。また、画像データ編集端末１Ａ〜１ＣやＲＩＰ２は、任意の数が設けられて良い。
【００６５】
画像データ編集端末１Ａ〜１Ｃは、何れもコンピュータターミナル（端末装置）として動作するものであって、コンピュータ本体、キーボード、モニタ、イメージスキャナ等の必要な画像入力機器等を備えている。
【００６６】
（画像出力システムの概略動作）
このような構成において、画像データ編集端末１Ａ〜１Ｃ、又はＲＩＰ２から画像データが送信された場合には、ＤＣＰ作成装置５Ａは、これを受信して、その画像データの種別に応じて、その画像データを解析加工するか否かを決定する。ここで解析加工すると決定された場合には、所定の設定条件にて解析加工を行う。また、ＤＣＰ作成装置５Ａは、その画像データに特色が含まれるか否かを判断して、特色が含まれていた場合には、さらに、当該ＤＣＰ作成装置５Ａにおいて、それらの特色に対応するカラーコレクションの設定が成されているか否かを判断して、ここでカラーコレクションの設定が成されていた場合には、そのカラーコレクションに従って、当該ＤＣＰ作成装置５ＡのＲ、Ｇ、Ｂの各色光源に関する露光量の出力制御を行いつつ、基本色及び所定の特色を用いて、その画像データの出力を行う。また、それらの特色に対応するカラーコレクションの設定が成されていなかった場合には、まず、当該ＤＣＰ作成装置５Ａにおいて、その特色に対応する濃度テーブルの設定が成されているか否かを判断して、ここで濃度テーブルの設定が成されていた場合には、その濃度テーブルと、当該ＤＣＰ作成装置５Ａにおいて予め設定された基本色に対応する濃度テーブルとに基づいてカラーコレクションを作成して、そのカラーコレクションに従って画像データの出力処理を行う。また、濃度テーブルの設定が成されていなかった場合には、当該ＤＣＰ作成装置５Ａに設定されている濃度テーブルの複数を組み合わせることで、その特色に対応する濃度テーブルを作成して、さらに、その濃度テーブルと、当該ＤＣＰ作成装置５Ａにおいて予め設定された基本色に対応する濃度テーブルとに基づいてカラーコレクションを作成して、そのカラーコレクションに従って、当該ＤＣＰ作成装置４ＡのＲ、Ｇ、Ｂの各色光源に関する露光量の出力制御を行いつつ、基本色及び所定の特色を用いて、その画像データの出力を行う。尚、このことの詳細については、後述する。
【００６７】
ところで、此処に言う画像データの種別、所定の設定条件、カラーコレクション、及び濃度テーブルとは、第一の実施形態において説明した内容と同様であるため、ここでの記載は省略する。
【００６８】
次に、当該画像出力システムの詳細構成及び詳細動作について、その構成要素であるＤＣＰ作成装置５Ａを主として説明する。
【００６９】
（制御装置の詳細構成）
図１２に示すように、ＤＣＰ作成装置５Ａは、カラーコレクション（本発明の出力制御テーブル）を記憶するカラーコレクション記憶手段Ｂ（本発明の出力制御テーブル記憶手段）と、基本色及び所定の特色に対応した濃度テーブル（本発明の第１のテーブル及び第２のテーブル）を記憶する濃度テーブル記憶手段Ｃ（本発明の第１の記憶手段及び第２の記憶手段）と、画像データ編集端末１Ａ〜１Ｃ、又はＲＩＰ２から送信された画像データに特色が含まれるか否か、また、ここで特色が含まれていた場合には、その特色に対応したカラーコレクションがカラーコレクション記憶手段Ｂに記憶されているか否か、ここでその特色に対応したカラーコレクションがカラーコレクション記憶手段Ｂに記憶されていなかった場合には、さらに、その特色に対応した濃度テーブルが濃度テーブル記憶手段Ｃに記憶されているか否かを判断する比較判定手段Ａと、この比較判定手段Ａの判定結果において、その画像データに含まれる特色に対応したカラーコレクションがカラーコレクション記憶手段Ｂに記憶されていないと判断された場合に、また、その画像データに含まれる特色に対応した濃度テーブルが濃度テーブル記憶手段Ｃに記憶されていないと判断された場合に、特色に関する濃度テーブル及び基本色に関する濃度テーブルを用いて、或いは、濃度テーブル記憶手段Ｃに記憶された特色に関する濃度テーブルの複数のパラメータを組み合わせることによって、その特色に対応する出力制御値を算出し、その特色に対応する濃度テーブルを作成して、その濃度テーブルと濃度テーブル記憶手段Ｃに記憶された基本色に関する濃度テーブルとを用いて、その画像データに含まれる特色に対応したカラーコレクションを作成する出力制御値算出手段Ｄと、画像データ編集端末１Ａ〜１Ｃ及びＲＩＰ２から送信された画像データの種別を判断して、必要に応じて、その画像データの網点化処理を行う網点化処理手段Ｅと、カラーコレクション記憶手段Ｂに任意のカラーコレクションを登録するカラーコレクション登録手段Ｇと、その他、カラーコレクション記憶手段Ｂに記憶されたカラーコレクション、または、出力制御値算出手段Ｄによって新たに作成されたカラーコレクションに基づいて、その画像データの出力処理を行う出力制御手段Ｈと、を含み構成されている。
【００７０】
（画像出力システムの詳細動作）
このような構成において、操作者は、画像データの出力処理を行う事前準備として、必要に応じて（任意に）、ＤＣＰ作成装置５Ａのカラーコレクション登録手段Ｇによって、カラーコレクション記憶手段Ｂに記憶するカラーコレクションに関する情報の登録を行う。これは、カラーコレクション設定と称されるものであって、具体的には、第一の実施形態において説明した内容と同様である。従って、ここでの記載は省略する。
【００７１】
ところで、カラーコレクションは、通常、複数種類設定されるため、操作者は、カラーコレクション登録手段Ｇにおいて、このようなカラーコレクションを複数登録することとなる。尚、このようなカラーコレクションは、第一の実施形態において説明した内容と同様であるため、ここでの記載は省略する。
【００７２】
これらカラーコレクションに関する登録内容は、カラーコレクション記憶手段Ｂに記憶され、画像データ編集端末１Ａ〜１Ｃ及びＲＩＰ２から送信された画像データの種別に応じて、出力制御手段Ｈによって、適宜選択され、当該ＤＣＰ作成装置５Ａにおけるカラーコレクションの設定に反映されることになる。
【００７３】
（画像出力システムの詳細動作）
以下、図１３に示すフローチャートに基づいて、当該画像出力システムの画像出力処理について説明を続ける。
【００７４】
画像データ編集端末１Ａ〜１Ｃ及びＲＩＰ２から画像データが送信されると、ＤＣＰ作成装置５Ａは、これを受信して、比較判定手段Ａは、まず、その画像データに特色が含まれるか否かを判断する（Ｓ２１）。ここで、特色が含まれていた場合には（Ｓ２１、Ｙｅｓ）、さらに、その特色に対応したカラーコレクションがカラーコレクション記憶手段Ｂに記憶されているか否かを判断して（Ｓ２２）、ここで、その特色に対応したカラーコレクションがカラーコレクション記憶手段Ｂに記憶されていなかった場合には（Ｓ２２、Ｎｏ）、さらに、その特色に対応した濃度テーブルが濃度テーブル記憶手段Ｃに記憶されているか否かを判断する（Ｓ２３）。
【００７５】
ところで、Ｓ２１において、特色が含まれていなかった場合には（Ｓ２１、Ｎｏ）、比較判定手段Ａは、次に、その画像データが網点化処理を必要とするか否かを判断する（Ｓ２９）。ここで、その画像データが網点化処理を必要とした場合には（Ｓ２９、Ｙｅｓ）、網点化処理手段Ｅは、その画像データの網点化処理を行う（Ｓ３０）。また、その画像データが網点化処理を必要としなかった場合には（Ｓ２９、Ｎｏ）、網点化処理手段Ｅは、その画像データの網点化処理を行わない。さらに、出力制御手段Ｈは、その画像データに対応するカラーコレクション（基本色のみによって構成されるカラーコレクション）をカラーコレクション記憶手段Ｂから読み出して、そのカラーコレクションに従って、当該ＤＣＰ作成装置５ＡのＲ、Ｇ、Ｂの各色光源による露光量を制御して、基本色及び特色を用いて出力する（Ｓ３１）。
【００７６】
また、Ｓ２２において、その特色に対応したカラーコレクションがカラーコレクション記憶手段Ｂに記憶されていた場合には（Ｓ２２、Ｙｅｓ）、Ｓ２９へ移行する。
【００７７】
Ｓ２３の説明に戻って、ここで、その特色に対応した濃度テーブルが濃度テーブル記憶手段Ｃに記憶されていた場合には（Ｓ２３、Ｙｅｓ）、出力制御値算出手段Ｄは、その特色に関する濃度テーブルを用いて、その特色に対応する出力制御値を算出して、さらに、その出力制御値と濃度テーブル記憶手段Ｃに記憶されている基本色に関する濃度テーブルを用いて、その特色に対応するカラーコレクションを作成する（Ｓ２５）。
【００７８】
尚、このＳ２５において、出力制御値算出手段Ｄが、濃度テーブル記憶手段Ｃに記憶されていた濃度テーブルを用いて、その特色に対応するカラーコレクションを作成する工程は、第一の実施形態において説明した内容と同様であるため、ここでの記載は省略する。
【００７９】
再びＳ２３の説明に戻って、また、その特色に対応した濃度テーブルが濃度テーブル記憶手段Ｃに記憶されていなかった場合には（Ｓ２３、Ｎｏ）、出力制御値算出手段Ｄは、濃度テーブル記憶手段Ｃに記憶されている特色に関する濃度テーブルの複数のパラメータを用いて、まず、その特色に対応する出力制御値を算出し、その特色に対応する濃度テーブルを作成して（Ｓ２４）、次に、その濃度テーブルと濃度テーブル記憶手段Ｃに記憶されている特色に関する濃度テーブルを用いて、その特色に対応するカラーコレクションを作成する。尚、出力制御値算出手段Ｄが作成したカラーコレクションは、カラーコレクション記憶手段Ｂに記憶される（Ｓ２５）。
【００８０】
尚、このＳ２４〜Ｓ２５において、出力制御値算出手段Ｄが、濃度テーブル記憶手段Ｃに記憶されている特色に関する濃度テーブルの複数のパラメータを用いて、その特色に対応する濃度テーブルを作成して、さらに、その濃度テーブルと濃度テーブル記憶手段Ｃに記憶されている基本色に関する濃度テーブルを用いてカラーコレクションを作成する工程は、第一の実施形態において説明した内容と同様であるため、ここでの記載は省略する。
【００８１】
再びＳ２５からの説明に戻って、さらに、比較判定手段Ａは、その画像データが網点化処理を必要とするか否かを判断する（Ｓ２６）。ここで、その画像データが網点化処理を必要とした場合には（Ｓ２６、Ｙｅｓ）、網点化処理手段Ｅは、その画像データの網点化処理を行う（Ｓ２７）。また、その画像データが網点化処理を必要としなかった場合には（Ｓ２６、Ｎｏ）、網点化処理手段Ｅは、その画像データの網点化処理を行わない。さらに、出力制御手段Ｈは、その画像データに対応するカラーコレクション（出力制御値算出手段Ｄが作成したカラーコレクション）をカラーコレクション記憶手段Ｂから読み出して、そのカラーコレクションに従って、当該ＤＣＰ作成装置５ＡのＲ、Ｇ、Ｂの各色光源による露光量を制御して、基本色及び特色を用いて出力する（Ｓ２８）。
【００８２】
以上に説明したように、本実施形態における画像出力システムでは、ＤＣＰ作成装置５Ａにおいて、予め、カラーコレクション設定に関する情報が登録され、さらに、基本色及び所定の特色に対応した濃度テーブルが記憶されるので、画像データ編集端末１Ａ〜１Ｃ及びＲＩＰ２から送信された画像データが特色を含み、その特色がＤＣＰ作成装置５Ａにおいて登録されたカラーコレクションに該当しないものであった場合にも、自動的に、その特色に対応したカラーコレクションが作成され、また、その特色がＤＣＰ作成装置５Ａにおいて登録されたカラーコレクション及び濃度テーブルに該当しないものであった場合にも、自動的に、その特色に対応した濃度テーブルが作成され、さらに、その濃度テーブルを用いて、その特色に対応したカラーコレクションが作成されて、そのカラーコレクションに従って、その特色に対応した画像データの出力処理が行われるので、操作者は、任意の特色を出力する場合であっても、その特色に対応するカラーコレクションの設定を行うことなく、任意の特色に対応した画像の出力を行うことができる。
【００８３】
尚、本実施形態における画像出力システムにおいては、画像データ編集端末１Ａ〜１Ｃ及びＲＩＰ２から送信された画像データに含まれる特色の色情報が、Ｃ、Ｍ、Ｙ、Ｋの基本色による構成比率にて表現され、制御装置に記憶されるカラーコレクションや濃度テーブルの入力値は、これに対応するものとなっていたが、特色の色情報は、これに限定されるものではなく、例えば、色相・彩度・輝度の３軸から成る色空間座標系の座標値であるＬ＊ａ＊ｂ＊値によって構成されても良い。即ち、このような場合には、ＤＣＰ作成装置５Ａにおいては、予め、図１０に示すような濃度テーブルが記憶されることとなる。
【００８４】
また、本実施形態における画像出力システムにおいては、画像データ編集端末１Ａ〜１Ｃ及びＲＩＰ２から送信された画像データに特色が含まれる場合には、その特色の色情報が付加され、これに対応して、ＤＣＰ作成装置５Ａに記憶される濃度テーブルの入力値は、所定の特色の色情報に関する値となっていたが、例えば、画像データ編集端末１Ａ〜１Ｃ及びＲＩＰ２から送信された画像データに特色が含まれる場合であって、その特色の色情報が、その特色の名称に関する情報を含むような場合には、これに対応して、ＤＣＰ作成装置５Ａには、図１１に示すような、所定の特色の名称と、その特色の色情報とを関連付けた色情報テーブルが、さらに、予め記憶されるものとする。この色情報テーブルは、新たな記憶手段に記憶されることとしても良いし、また、濃度テーブル記憶手段Ｃ等に記憶されることとしても良い。
【００８５】
因みに、このような場合には、比較判定手段Ａは、図１３に示すフローチャートのＳ２２とＳ２３の間において、その特色の名称に対応した色情報テーブルが、制御装置３Ａの記憶手段に記憶されているか否かを判断する。ここで、その特色の名称に対応した色情報テーブルが、ＤＣＰ作成装置５Ａの記憶手段に記憶されていた場合には、当然、その特色に対応した濃度テーブルは濃度テーブル記憶手段Ｃに記憶されているので（Ｓ２３、Ｙｅｓ）、出力制御値算出手段Ｄは、その濃度テーブルと濃度テーブル記憶手段Ｃに記憶されている基本色に関する濃度テーブルを用いて、その特色に対応するカラーコレクションを作成する（Ｓ２５）。以下、Ｓ２６へと移行する。また、ここで、その特色の名称に対応した色情報テーブルが、ＤＣＰ作成装置５Ａの記憶手段に記憶されていなかった場合には、当然、その特色に対応した濃度テーブルは濃度テーブル記憶手段Ｃに記憶されていないので（Ｓ２３、Ｎｏ）、出力制御値算出手段Ｄは、濃度テーブル記憶手段Ｃに記憶されている特色に関する濃度テーブルの複数のパラメータを用いて、まず、その特色に対応する濃度テーブルを作成して（Ｓ２４）、次に、その濃度テーブルと濃度テーブル記憶手段Ｃに記憶されている基本色に関する濃度テーブルを用いて、その特色に対応するカラーコレクションを作成する（Ｓ２５）。以下、Ｓ２６へと移行する。
【００８６】
また、本実施形態における画像出力システムにおいては、ＤＣＰ作成装置５Ａに、カラーコレクションを記憶するカラーコレクション記憶手段Ｂと、基本色及び所定の特色に対応した濃度テーブルを記憶する濃度テーブル記憶手段Ｃがそれぞれ設けられることとしたが、これらは１つの記憶手段として構成しても良い。また、濃度テーブル記憶手段Ｃに記憶される基本色に対応した濃度テーブルと、所定の特色に対応した濃度テーブルは、１つの濃度テーブルとして構成しても良い。さらに、上述の色情報テーブルも組み合わせて、これらを１つの濃度テーブルとして構成しても良い。
【００８７】
【発明の効果】
以上に説明したように、本発明に係る画像出力システムによれば、画像出力装置の出力制御を行う制御装置において、或いは、この制御装置を内蔵する画像出力装置において、予め、所定のカラーコレクションが登録され、さらに、画像データに用いられる基本色及び特色に関する色情報とその基本色及び特色を画像出力装置において出力するための出力制御値とを関連付けた濃度テーブルが記憶されて、外部装置から送信された画像データに、そのカラーコレクションに設定されていない特色が含まれていた場合であっても、予め記憶された濃度テーブルと基本色に関する濃度テーブルとを用いて、その特色に対応したカラーコレクションが作成されて、また、外部装置から送信された画像データに、そのカラーコレクション及び濃度テーブルに設定されていない特色が含まれていた場合であっても、予め記憶された特色に関する濃度テーブルの複数のパラメータを用いて、その特色に対応した濃度テーブルが作成され、さらに、その濃度テーブルと基本色に関する濃度テーブルとを用いて、その特色に対応したカラーコレクションが作成されて、これらのカラーコレクションに基づいて画像データの出力処理が行われるので、操作者は、任意の特色を出力する場合であっても、その特色に対応するカラーコレクションの設定を行うことなく、任意の特色に対応した画像の出力を行うことができる。
【図面の簡単な説明】
【図１】本発明に係る画像出力システムの一実施形態における全体構成を表すシステム構成図である。
【図２】図１に示す制御装置において登録されるカラーコレクションの設定内容を表す図である。
【図３】図１に示す制御装置において複数のカラーコレクションが登録される場合の設定内容を表す図である。
【図４】図１に示す制御装置において成される画像データの出力処理の流れについて説明するフローチャートである。
【図５】図１に示す制御装置において記憶される特色の濃度テーブルの設定内容を表す図である。
【図６】図１に示す制御装置において記憶される特色の濃度テーブルの設定内容を表す図である。
【図７】図１に示す制御装置において作成されたカラーコレクションの設定内容を表す図である。
【図８】図１に示す制御装置において作成された濃度テーブルの設定内容を表す図である。
【図９】図１に示す制御装置において作成されたカラーコレクションの設定内容を表す図である。
【図１０】図５に示す濃度テーブルの他例を表す図である。
【図１１】図１に示す制御装置において記憶される特色の色情報テーブルの設定内容を表す図である。
【図１２】本発明に係る画像出力システムの一実施形態における全体構成を表すシステム構成図である。
【図１３】図１２に示す画像出力装置における画像データの出力処理の流れについて説明するフローチャートである。
【符号の説明】
１Ａ〜１Ｃ  画像データ編集端末
２  ＲＩＰ
３Ａ  制御装置
Ａ  比較判定手段
Ｂ  カラーコレクション記憶手段
Ｃ  濃度テーブル記憶手段
Ｄ  出力制御値算出手段
Ｅ  網点化処理手段
Ｆ  出力装置制御手段
Ｇ  カラーコレクション登録手段
４Ａ  ＤＣＰ作成装置
Ｎ  ネットワーク
【図１】
2004167707.tif 000003
【図２】
2004167707.tif 000004
【図３】
2004167707.tif 000005
【図４】
2004167707.tif 000006
【図５】
2004167707.tif 000007
【図６】
2004167707.tif 000008
【図７】
2004167707.tif 000009
【図８】
2004167707.tif 000010
【図９】
2004167707.tif 000011
【図１０】
2004167707.tif 000012
【図１１】
2004167707.tif 000013
【図１２】
2004167707.tif 000014
【図１３】
2004167707.tif 000015